(57)【要約】【課題】  使用者のスケジュール状況が変化する場合であっても、使用者にとっての操作性や快適性が低下するのを抑制するカーナビゲーション装置を提供する。【解決手段】  ナビゲーション装置１は、使用者のスケジュールが勤務用スケジュールである場合には勤務用の目的地設定メニュー画面を表示し、勤務用スケジュールではない場合にはプライベート用の目的地設定メニュー画面を表示する。これにより、状況変化に伴い使用者の要求が変化した場合でも、使用者における入力操作の煩雑さを解消できる。また、ナビゲーション装置１は、使用者のスケジュールが勤務用スケジュールである場合には、勤務用音声メッセージを出力し、勤務用スケジュールではない場合には、プライベート用音声メッセージを出力する。これにより、使用者のスケジュール状況の変化に応じて出力音声によって形成される雰囲気を変更でき、使用者の満足度を向上できる。【選択図】  図２
2005221345.tif 000002
【特許請求の範囲】
【請求項１】
使用者による入力操作に対応する入力対応動作、または使用者への情報を出力する出力動作を行うユーザインターフェース手段を備えるナビゲーション装置であって、
使用者のスケジュールを判定するスケジュール判定手段と、
前記スケジュール判定手段にて判定された使用者のスケジュールの種類に応じて、前記ユーザインターフェース手段の入力対応動作形態または出力動作形態を変更する動作形態制御手段と、
を備えることを特徴とするナビゲーション装置。
【請求項２】
前記使用者のスケジュールの種類と前記入力対応動作形態または前記出力動作形態を対応させて記憶する対応設定記憶手段を備え、
前記スケジュール判定手段は、現在日時に基づき、前記使用者のスケジュールを判定し、
前記動作形態制御手段は、前記ユーザインターフェース手段の入力対応動作形態または出力動作形態を、前記対応設定記憶手段に記憶された動作形態のうち、前記スケジュール判定手段にて判定されたスケジュールの種類に対応する入力対応動作形態または出力動作形態に変更すること、
を特徴とする請求項１に記載のナビゲーション装置。
【請求項３】
前記使用者のスケジュールの種類と前記入力対応動作形態または前記出力動作形態を対応させて記憶する対応設定記憶手段を備え、
前記スケジュール判定手段は、使用者の行動予定情報を外部から取得して、前記行動予定情報に基づき、前記使用者のスケジュールを判定し、
前記動作形態制御手段は、前記ユーザインターフェース手段の入力対応動作形態または出力動作形態を、前記対応設定記憶手段に記憶された動作形態のうち、前記スケジュール判定手段にて判定されたスケジュールの種類に対応する入力対応動作形態または出力動作形態に変更すること、
を特徴とする請求項１に記載のナビゲーション装置。
【請求項４】
前記ユーザインターフェース手段は、少なくとも操作メニュー項目を表示するための表示手段を備え、
前記動作形態制御手段は、前記表示手段における表示形態を制御する表示制御手段を備え、
前記表示制御手段は、前記スケジュール判定手段にて判定された使用者のスケジュールの種類に応じて、前記表示手段における表示形態を変更すること、
を特徴とする請求項１から請求項３のいずれかに記載のナビゲーション装置。
【請求項５】
前記表示制御手段は、複数の操作メニュー項目が配置されたメニュー画面を表示するように、前記表示手段における表示形態を制御すると共に、前記スケジュール判定手段にて判定された使用者のスケジュールの種類に応じて、前記メニュー画面に表示する操作メニュー項目の表示順序を変更すること、
を特徴とする請求項４に記載のナビゲーション装置。
【請求項６】
前記表示制御手段は、前記表示手段に表示する画面意匠を制御しており、前記スケジュール判定手段にて判定された使用者のスケジュールの種類に応じて、前記画面意匠を変更すること、
を特徴とする請求項４または請求項５に記載のナビゲーション装置。
【請求項７】
前記ユーザインターフェース手段は、使用者への音声メッセージを出力する音声出力手段を備え、
前記動作形態制御手段は、前記音声出力手段における音声出力形態を制御する音声出力制御手段を備え、
前記音声出力制御手段は、前記スケジュール判定手段にて判定された使用者のスケジュールの種類に応じて、前記音声出力手段の音声出力形態を変更すること、
を特徴とする請求項１から請求項６のいずれかに記載のナビゲーション装置。
【請求項８】
前記音声出力制御手段は、前記スケジュール判定手段にて判定された使用者のスケジュールの種類に応じて、出力する音声における音のトーンを変更すること、
を特徴とする請求項７に記載のナビゲーション装置。
【請求項９】
前記音声出力制御手段は、複数種類の音声メッセージの中からいずれかの音声メッセージを出力するように、前記音声出力手段の音声出力形態を制御すると共に、前記スケジュール判定手段にて判定された使用者のスケジュールの種類に応じて、前記音声出力手段が出力する前記音声メッセージを前記スケジュールの種類に適した音声メッセージに変更すること、
を特徴とする請求項７または請求項８に記載のナビゲーション装置。
【発明の詳細な説明】
【技術分野】
【０００１】
本発明は、使用者による入力操作に対応する入力対応動作、または使用者への情報を出力する出力動作を行うユーザインターフェース手段を備えるナビゲーション装置に関する。
【背景技術】
【０００２】
従来より、使用者（ユーザ）から目的地設定の入力操作を受け付けて、使用者が設定した目的地までの通行経路を探索し、探索結果として得られる案内経路に従って、使用者を目的地まで誘導するナビゲーション装置が知られている。
【０００３】
そして、ナビゲーション装置において使用者による各種情報（目的地など）の入力操作に対応する入力対応動作を行うユーザインターフェース手段としては、例えば、ディスプレイ装置の画面に複数の操作メニュー項目を表示し、使用者によるタッチ入力画面を介したタッチ操作を受け付ける構成のユーザインターフェース手段がある。使用者は、ユーザインターフェース手段を介して任意の入力操作を行うことで、目的地の設定や経路探索条件の設定などを行うことが出来る。
【０００４】
なお、使用者による入力操作は、タッチ操作に限られず、画面枠外に設けられた操作スイッチなどの操作による入力操作であってもよい。
また、ナビゲーション装置は、使用者に対して各種情報（案内経路など）を出力する出力動作を行うユーザインターフェースとして、画面に目的地までの案内経路を表示するディスプレイ装置や、進行方向などを指示する音声メッセージを出力するスピーカなどを備えている。
【０００５】
そして、従来のナビゲーション装置としては、目的地までの通行経路を探索するにあたり、案内する時間帯や曜日などの時期的条件に応じて、案内経路を変更する構成のナビゲーション装置が提案されている（特許文献１および特許文献２参照）。
【０００６】
このように、時期的条件に基づいて案内経路を変更することにより、最短時間で目的地に到着できるなど、使用者にとって有利な案内経路を設定できるという利点がある。
【特許文献１】特開２００２−１４８０６５号公報（段落番号［００４１］）
【特許文献２】特開平９−５０９９号公報（請求項２，請求項３）
【発明の開示】
【発明が解決しようとする課題】
【０００７】
ところで、先行技術文献に記載されたナビゲーション装置は、ユーザインターフェースの入力対応動作および出力動作が何らかの条件に応じて変更される構成ではなく、常に同一の入力対応動作および出力動作を実行するよう構成されている。
【０００８】
これに対して、使用者のスケジュール状況は常に変化しており、こうした状況変化に伴い、使用者がユーザインターフェースに対して優先的に要求する動作形態も変化することになる。
【０００９】
つまり、上記従来のナビゲーション装置は、ユーザインターフェースの動作形態が常に同一であることから、状況変化に伴い使用者の要求が変化した場合でも、その変化に応じた入力対応動作を実行できず、使用者にとって入力操作が煩雑となり、操作性に劣る場合があるという問題が生じる。
【００１０】
例えば、各種操作メニュー項目が配置されたメニュー画面が複数ページにわたり表示される場合において、使用者から表示要求が入力された際に初期画面として表示されるメニュー画面が常に同一であると、初期メニュー画面に表示される操作メニュー項目は、常に同一内容となる。しかし、カーナビゲーション装置の実使用環境においては、使用者の勤務時間帯において使用頻度の高いメニュー項目と、使用者のプライベート時間帯において使用頻度の高いメニュー項目とは、それぞれ異なる場合が多い。
【００１１】
このように、使用者の要求頻度の高い操作メニュー項目は、使用者のスケジュール状況に応じて変化するため、選択したい操作メニュー項目を表示するために、複数のメニュー画面を順次表示させる操作が必要になる場合があり、これは使用者にとって操作作業の増加となり、操作作業が煩雑となる問題がある。
【００１２】
また、ユーザインターフェースの出力動作についても、常に同一の出力形態に固定されている場合には、使用者のスケジュール状況に応じた快適な使用環境を提供できないことがある。
【００１３】
例えば、案内経路を音声出力により使用者に通知するにあたり、案内音声により作り出される雰囲気が常に同一である場合には、使用者の勤務時間帯に要求される雰囲気に応じた案内音声の出力態様と、使用者のプライベート時間帯に要求される雰囲気に応じた案内音声の出力態様とのうち、いずれか一方の要求にしか応えることができない。
【００１４】
そこで、本発明は、こうした問題に鑑みなされたものであり、使用者のスケジュール状況が変化する場合であっても、使用者にとっての操作性や快適性が低下するのを抑制するカーナビゲーション装置を提供することを目的とする。
【課題を解決するための手段】
【００１５】
上記目的を達成するためになされた請求項１に記載の発明は、ユーザインターフェース手段を備えて、目的地までの経路を案内するナビゲーション装置であって、スケジュール判定手段が使用者のスケジュールを判定し、その判定結果に基づき、動作形態制御手段が、ユーザインターフェース手段の入力対応動作形態または出力動作形態を変更すること、を特徴とするナビゲーション装置である。
【００１６】
つまり、ユーザインターフェース手段は、使用者による入力操作に対応する入力対応動作、または使用者への情報を出力する出力動作を行うものであるが、動作形態制御手段が、使用者のスケジュールに応じてユーザインターフェース手段における入力対応動作形態を変更する。このことから、状況変化に伴い使用者の要求が変化する場合でも、その変化に応じた入力対応動作を実行できる。これにより、使用者における入力操作の煩雑さを解消でき、ナビゲーション装置の操作性の向上を図ることができる。
【００１７】
また、動作形態制御手段が、使用者のスケジュールに応じてユーザインターフェース手段における出力動作形態を変更することから、状況変化に伴い使用者が快適と感じる使用環境が変化した場合でも、その変化に応じた出力動作を実行できる。これにより、使用者にとって快適な使用環境を提供することができ、ナビゲーション装置の使用感の向上を図ることができる。
【００１８】
そして、上述のナビゲーション装置は、例えば、請求項２に記載のように、使用者のスケジュールの種類と入力対応動作形態または出力動作形態を対応させて記憶する対応設定記憶手段を備え、スケジュール判定手段が、現在日時に基づき、使用者のスケジュールを判定するとよい。
【００１９】
つまり、使用者のスケジュールは、１日のうちで時間帯ごとに変化し、また、１週間のうちで曜日ごとに変化することから、現在日時から時刻、日付および曜日のうち少なくともいずれかを特定し、その特定結果を用いることで、使用者のスケジュールを判定することができる。
【００２０】
そして、動作形態制御手段は、ユーザインターフェース手段の入力対応動作形態または出力動作形態を、対応設定記憶手段に記憶された動作形態のうち、スケジュール判定手段での判定結果（換言すれば、判定されたスケジュールの種類）に対応する動作形態に変更するのである。
【００２１】
これにより、使用者のスケジュールの種類に応じて、使用者における入力操作の煩雑さを解消できることから、ナビゲーション装置の操作性を向上でき、また、使用者にとって快適な使用環境を提供できることから、ナビゲーション装置の使用感の向上を図ることができる。
【００２２】
また、上述のナビゲーション装置は、例えば、請求項３に記載のように、使用者のスケジュールの種類と入力対応動作形態または出力動作形態を対応させて記憶する対応設定記憶手段を備え、スケジュール判定手段が、使用者の行動予定情報を外部から取得して、行動予定情報に基づき、使用者のスケジュールを判定してもよい。
【００２３】
そして、動作形態制御手段は、ユーザインターフェース手段の入力対応動作形態または出力動作形態を、対応設定記憶手段に記憶された動作形態のうち、スケジュール判定手段にて判定されたスケジュールの種類に対応する動作形態に変更するのである。
【００２４】
つまり、使用者の行動予定情報によれば、使用者のスケジュールを正確に判定できることから、その判定結果に基づきユーザインターフェース手段の入力対応動作形態または出力動作形態を変更することで、ユーザインターフェース手段の動作形態を使用者のスケジュールに適した動作形態に変更することが出来る。
【００２５】
このように構成されたナビゲーション装置は、使用者における入力操作の煩雑さを解消でき、また、使用者にとって快適な使用環境を提供できる。
なお、使用者の行動予定情報の取得方法としては、例えば、行動予定情報が保存されている個人用の携帯情報端末（ＰＤＡ）などから取得する方法や、行動予定情報が保存されているデータ保存装置などから通信回線を通じて取得する方法などがある。
【００２６】
次に、上述のナビゲーション装置は、例えば、請求項４に記載のように、ユーザインターフェース手段が、少なくとも操作メニュー項目を表示するための表示手段を備え、動作形態制御手段が、表示手段における表示形態を制御する表示制御手段を備えるとよい。
【００２７】
これにより、状況変化に伴い使用者の要求が変化した場合でも、その変化に応じた操作メニュー項目を表示することができ、使用者における入力操作の煩雑さを解消することができる。
【００２８】
なお、表示形態の変更方法としては、例えば、複数の操作メニュー項目を表示するにあたり、操作メニュー項目を複数ページに分けて表示する構成のユーザインターフェース手段においては、スケジュール判定結果に応じて、先頭ページに表示する操作メニュー項目を変更する方法が挙げられる。
【００２９】
これにより、使用者のスケジュールに応じて、最適な操作メニュー項目を先頭ページに表示することができ、使用者にとってメニュー選択操作が容易となり、入力操作の煩雑さを解消することができる。
【００３０】
また、上述のナビゲーション装置においては、例えば、請求項５に記載のように、表示制御手段は、表示手段における表示形態を制御するにあたり、複数の操作メニュー項目が配置されたメニュー画面を表示するよう構成することが出来る。そして、この場合、表示制御手段は、スケジュール判定手段にて判定された使用者のスケジュールの種類に応じて、メニュー画面に表示する操作メニュー項目の表示順序を変更するとよい。
【００３１】
そして、表示制御手段は、メニュー画面を表示するにあたり、メニュー画面の表示初期段階において、使用者のスケジュールの種類に対応した操作メニュー項目が表示されるように、操作メニュー項目の表示順序を変更するのである。
【００３２】
このようにして、表示制御手段が操作メニュー項目の表示順序を変更することにより、スケジュールの種類が変化した場合であっても、使用者は、複数のメニュー画面の中から操作メニュー項目を探すための画面送り操作を実行する必要が無いため、入力操作の煩雑さを解消することができる。
【００３３】
これにより、使用者における入力操作の煩雑さを解消でき、ナビゲーション装置の操作性の向上を図ることができる。
また、上述のナビゲーション装置においては、例えば、請求項６に記載のように、表示制御手段は、表示手段に表示する画面意匠を制御するよう構成することが出来る。そして、表示制御手段は、スケジュール判定手段にて判定された使用者のスケジュールの種類に応じて、画面意匠を変更するとよい。
【００３４】
つまり、使用者のスケジュールの種類に応じて、表示制御手段が画面意匠を変更することで、使用者のスケジュールの種類に適した画面意匠を表示手段に表示するナビゲーション装置を実現することが出来る。
【００３５】
これにより、表示手段に表示される画面意匠は、使用者のスケジュールの種類に適した画面意匠となるため、状況変化に伴い使用者にとって快適な使用環境が変化した場合でも、ユーザインターフェース手段は、その変化に応じた出力動作を実行できる。これにより、使用者にとって快適な使用環境を提供することができ、ナビゲーション装置の使用感の向上を図ることができる。
【００３６】
なお、画面意匠は、表示枠の色、文字フォント、文字書体、文字色、画面背景模様（壁紙）の種類などにより定められる。
次に、上述のナビゲーション装置においては、例えば、請求項７に記載のように、ユーザインターフェース手段は、少なくとも案内経路を通知する音声メッセージを出力する音声出力手段を備え、動作形態制御手段は、音声出力手段からの音声出力形態を制御する音声出力制御手段を備えるとよい。
【００３７】
そして、音声出力制御手段が、スケジュール判定手段にて判定された使用者のスケジュールの種類に応じて、音声出力形態を変更するのである。
この結果、状況変化に伴い使用者にとって快適な使用環境が変化した場合でも、その変化に応じた音声出力動作を実行できる。これにより、使用者にとって快適な使用環境を提供することができ、ナビゲーション装置の使用感の向上を図ることができる。
【００３８】
また、上述のナビゲーション装置においては、請求項８に記載のように、音声出力制御手段は、スケジュール判定手段にて判定された使用者のスケジュールの種類に応じて、出力する音声における音のトーンを変更することにより、音声出力形態を変更すると良い。
【００３９】
つまり、音声出力制御手段は、例えば、あるスケジュールの種類においては、出力音声の音のトーンを低くすることで、落ち着いた雰囲気を演出でき、また、他のスケジュールの種類においては、出力音声の音のトーンを高くすることで楽しい雰囲気を演出できる。
【００４０】
よって、このナビゲーション装置によれば、使用者のスケジュール状況の変化に応じて出力音声によって形成される雰囲気を変更しつつ、経路案内を実行することができ、使用者の満足度を向上することができる。
【００４１】
また、上述のナビゲーション装置においては、請求項９に記載のように、音声出力制御手段は、複数種類の音声メッセージの中からいずれかの音声メッセージを出力するように、音声出力手段の音声出力形態を制御するように構成することが出来る。そして、音声出力制御手段は、スケジュール判定手段にて判定された使用者のスケジュールの種類に応じて、音声出力手段が出力する音声メッセージをスケジュールの種類に適した音声メッセージに変更することにより、音声出力手段の音声出力形態を変更すると良い。
【００４２】
つまり、音声出力制御手段は、使用者のスケジュールに適した文章で構成された音声メッセージを出力するように、ユーザインターフェース手段（音声出力手段）の出力動作形態を変更するのである。
【００４３】
これにより、使用者のスケジュール状況の変化に応じて出力音声によって形成される雰囲気を変更しつつ、経路案内を実行することができ、使用者の満足度を向上することができる。
【００４４】
なお、音声出力制御手段は、同一の意味内容を表す音声メッセージであって、異なる文章で構成される少なくとも２種類以上の音声メッセージのうち、いずれかのメッセージを出力できるよう構成することで、上記のように、スケジュール判定手段による判定結果に応じて、音声出力形態を変更することができる。
【発明を実施するための最良の形態】
【００４５】
以下に、本発明が適用された実施形態について図面を用いて説明する。
なお、本発明の実施形態は、下記の実施形態に限定されることはなく、本発明の技術的範囲に属する限り、種々の形態を採り得ることは言うまでもない。
【００４６】
図１は、使用者が設定した目的地までの経路を案内する車載用のナビゲーション装置１の概略構成図である。
ナビゲーション装置１は、車両の現在位置を検出する位置検出器１２と、当該装置へ各種指令を入力するための操作スイッチ群２０と、当該装置へ各種指令を入力するための図示しないリモートコントロール端末（以下、リモコンと称す。）からの信号を入力するためのリモコンセンサ２１と、外部機器から地図情報やユーザスケジュール情報などの各種情報を入力するためのデータ入力器２２と、地図表示画面やＴＶ画面等の各種表示を行うための表示装置２６と、音声出力するためのスピーカ２８と、各種処理を実行するナビ制御回路３０と、を備えている。
【００４７】
ナビ制御回路３０は、上述した位置検出器１２、操作スイッチ群２０、データ入力器２２およびリモコンからリモコンセンサ２１を介して入力される指令に応じて各種処理を実行し、表示装置２６やスピーカ２８を制御する。
【００４８】
位置検出器１２は、ＧＰＳ（Global Positioning System ）用の人工衛星からの送信電波（ＧＰＳ信号）をＧＰＳアンテナを介して受信し、車両の位置，方位，速度等を検出するＧＰＳ受信機１２ａと、車両に加えられる回転運動の大きさに基づいて進行方位を検出するジャイロスコープ１２ｂと、車速センサや車輪センサ等からなり車両の走行距離を検出するための車速センサ１２ｃと、を備えている。そして、これら各センサ１２ａ〜１２ｃは、各々が性質の異なる誤差を有しているため、互いに補完しながら位置検出するように構成されている。なお、精度によっては、上述した各センサ１２ａ〜１２ｃの中の一部のみを用いて構成してもよく、また、地磁気に基づいて絶対方位を検出する地磁気センサや左右操舵輪の回転差などから得られる車両のステアリング角を累積して方向を求めるセンサ等の他のセンサを追加して用いてもよい。
【００４９】
また、操作スイッチ群２０は、表示装置２６と一体に構成され表示画面上に設定されるタッチスイッチや、表示装置２６の周囲に設けられたメカニカルなキースイッチ等の各種スイッチを用いて構成される。タッチスイッチは、表示装置２６の画面上に縦方向および横方向に配置された複数の赤外線センサを備えて構成されており、例えば、指やタッチペンなどでその赤外線が遮断されることで、その遮断した位置が２次元座標値（Ｘ，Ｙ）として検出される。これにより、タッチスイッチは、使用者が表示画面を直接タッチ操作することで、所定の指示を入力できるように構成されている。
【００５０】
なお、これら操作スイッチ群２０は、ナビゲーション装置１を操作するための各種スイッチで構成されており、具体的には、表示装置２６における表示内容を切り替えるためのスイッチや、使用者が目的地までのルート（経路）を設定するためのスイッチなどを含んでいる。
【００５１】
一方、データ入力器２２は、位置検出の精度向上のためのいわゆるマップマッチング用データ、道路の接続を表した道路データなどを含む地図用データを記憶媒体から入力する機能、使用者のスケジュール情報（行動予定情報）や交通渋滞情報などを外部機器などから入力する機能を有する装置である。
【００５２】
なお、記憶媒体としては、そのデータ量からＣＤ−ＲＯＭやＤＶＤを用いるのが一般的であるが、例えばメモリカード等の他の媒体を用いても良い。また、外部機器としては、ＰＤＡ（個人用の携帯情報端末）、電子手帳およびノートパソコンの他に、無線通信回線を通じてデータ送受信が可能なデータ保存装置（サーバ）なども含まれる。このようなデータ保存装置は、ナビゲーション装置１が備えられる車両に搭載する必要が無いため設置スペースの制限を受けにくく、大容量のデータを保存することができ、使用者のスケジュール情報（行動予定情報）や交通渋滞情報の他に天気予報やニュースなどの各種情報を保存することができる。
【００５３】
表示装置２６は、本実施形態においては、カラー表示装置であり、その画面には、位置検出器１２にて検出した車両の現在位置を示すマークと、データ入力器２２より入力された道路データと、更に地図上に表示する案内経路、名称、目印等の付加データとを重ねて表示することができる。また、表示装置２６は、使用者が目的地の設定方法を選択するための目的地設定メニュー画面を含む各種メニュー画面を表示することができる。
【００５４】
スピーカ２８は、ナビ制御回路３０で処理された各種案内情報などを使用者に報知するために、音声メッセージを出力する。
なお、本実施形態においては、表示装置２６およびスピーカ２８が、特許請求の範囲に記載のユーザインターフェース手段に相当しており、特に、表示装置２６が表示手段に相当し、スピーカ２８が音声出力手段に相当する。
【００５５】
ナビ制御回路３０は、ＣＰＵ，ＲＯＭ，ＲＡＭからなる周知のマイクロコンピュータを中心に構成されており、装置全体の制御を司る。ナビ制御回路３０は、現在位置算出部３１と、目的地設定部３２と、表示制御部３３と、音声出力制御部３４と、経路設定部３５と、算出パラメータテーブル記憶部３６と、案内ルート記憶部３７と、表示データ記憶部３８と、音声データ記憶部３９と、を備えている。
【００５６】
現在位置算出部３１は、ＧＰＳ受信機１２ａ、ジャイロスコープ１２ｂおよび車速センサ１２ｃからの入力データ、およびデータ入力器２２を介して記憶媒体から取得した地図データを基にして現在位置を算出する。なお、ＧＰＳ受信機１２ａが受信するＧＰＳ信号には時刻情報も含まれており、この現在位置算出部３１は、少なくとも時刻、日付および曜日に関する情報を含む現在時刻情報を出力することができる。
【００５７】
目的地設定部３２は、操作スイッチ群２０やリモコンセンサ２１を介して入力された目的地が記憶される。
経路設定部３５は、現在時刻に対応する算出パラメータテーブルを算出パラメータテーブル記憶部３６から取得し、その取得した算出パラメータテーブルを用いて、現在位置算出部３１の出力する現在位置から目的地設定部３２に記憶された目的地までの最適な経路を算出する。この経路探索手法としては、例えば、ダイクストラ法等の手法が知られている。この経路探索結果としての案内ルートは、案内ルート記憶部３７に記憶される。
【００５８】
なお、算出パラメータテーブル記憶部３６は、経路探索に用いるための算出パラメータテーブルとして、道路幅員係数、道路種別係数、信号機係数及び右左折係数などの各算出パラメータを含む算出パラメータテーブルを記憶している。
【００５９】
表示制御部３３は、表示装置２６における表示形態を制御しており、使用者により操作スイッチ群２０やリモコンセンサ２１を介して入力された指令に応じて、要求された画面を表示する処理や、複数の操作メニュー項目が配置されたメニュー画面を複数ページにわたり表示する処理や、案内ルート記憶部３７に記憶されている経路探索結果を道路データに重ねて強調表示する処理などの表示制御処理を実行する。なお、表示装置２６に表示するための画面データは、表示データ記憶部３８に記憶されており、表示制御部３３は、必要に応じて表示データ記憶部３８から所定の画面データを取り込み、その画面データに基づいて表示装置２６の表示内容を制御する。
【００６０】
音声出力制御部３４は、現在位置算出部３１から出力される現在位置データを基に、案内ルート記憶部３７に記憶されている経路探索結果（案内ルート）中の現在位置を検出し、適宜、スピーカ２８から音声メッセージを出力することで、経路の進行方向などを報知するための音声案内を行う。なお、スピーカ２８から出力する音声メッセージは、音声データとして音声データ記憶部３９に記憶されており、音声出力制御部３４は、必要に応じて音声データ記憶部３９から所定の音声データを取り込み、その音声データに基づきスピーカ２８から出力される音声メッセージを制御する。
【００６１】
なお、音声データ記憶部３９は、音声メッセージとして、少なくとも勤務用音声メッセージおよびプライベート用音声メッセージを記憶している。
次に、ナビゲーション装置１において、使用者が操作スイッチ群２０またはリモコンを操作することにより、目的地設定メニュー画面の表示指令が入力された場合に、ナビ制御回路３０の表示制御部３３で実行される目的地設定メニュー表示処理の処理内容について説明する。
【００６２】
図２に、目的地設定メニュー表示処理の処理内容を表したフローチャートを示す。
処理が開始されると、まず、Ｓ１００（Ｓはステップを表す。以下同様。）では、少なくとも時刻、日付および曜日に関する情報を含む現在時刻情報を現在位置算出部３１から取得する処理を行う。
【００６３】
次のＳ１１０では、現在時刻情報に基づき現在時刻、日付および曜日のいずれかを特定し、特定時点における使用者のスケジュールが勤務時間帯（勤務用スケジュール）であるか否かを判断し、肯定判定する場合には、Ｓ１２０に移行し、否定判定する場合には、Ｓ１４０に移行する。
【００６４】
なお、Ｓ１１０での判断態様としては、現在時刻情報のうち曜日に着目して判断する場合には、例えば、月曜から金曜までは勤務用スケジュールとして判断（肯定判定）し、土曜・日曜は勤務用スケジュールではないと判断（否定判定）する判断態様がある。なお、曜日に着目する場合における他の判断態様としては、予め使用者が勤務日となる曜日および休日となる曜日を設定しておき、その設定内容に基づいて判定する態様を採ることも可能である。
【００６５】
また、現在時刻情報のうち時刻に着目して判断する場合には、例えば、使用者が出勤時間帯および帰宅時間帯を予め設定しておき、出勤時間帯においては勤務用スケジュールと判断し、帰宅時間帯においては勤務用スケジュールではないと判断する判断形態を採ることも出来る。
【００６６】
Ｓ１１０で肯定判定されると、Ｓ１２０では、目的地設定メニュー画面に表示するための勤務用操作メニュー項目を含む勤務用表示データを表示データ記憶部３８から取得する処理を実行する。続くＳ１３０では、Ｓ１２０で取得した操作メニュー項目に基づいて、勤務用操作メニュー項目が配置される目的地設定メニュー画面の第１ページを、表示装置２６に表示する処理を行う。
【００６７】
他方、Ｓ１１０で否定判定されると、Ｓ１４０では、目的地設定メニュー画面に表示するためのプライベート用操作メニュー項目を含むプライベート用表示データを表示データ記憶部３８から取得する処理を実行する。続くＳ１５０では、Ｓ１４０で取得した操作メニュー項目に基づいて、プライベート用操作メニュー項目が配置される目的地設定メニュー画面の第１ページを、表示装置２６に表示する処理を行う。
【００６８】
そして、Ｓ１３０またはＳ１５０の処理が完了すると、目的地設定メニュー表示処理が終了する。このように目的地設定メニュー表示処理が実行されることにより、表示装置２６に目的地設定メニュー画面が表示される。
【００６９】
ここで、図３に、表示装置２６に表示される目的地設定メニュー画面の表示レイアウトを表した説明図を示すと共に、図４に、表示データ記憶部３８に記憶されるデータのうち、目的地設定メニュー画面に表示する操作メニュー項目のデータベース構造を表す説明図を示す。
【００７０】
図３に示すように、目的地設定メニュー画面４１は、操作メニュー項目を表示するための６個の表示エリア４２と、ページ戻り操作を要求するための前ページ要求エリア４３と、ページ送り操作を要求するための次ページ要求エリア４４と、が配置されて構成されている。
【００７１】
また、図４に示す操作メニュー項目のデータベース構造から判るように、本実施形態のナビゲーション装置１は、複数ページにわたる目的地設定メニュー画面を表示するためのデータベースを備えて構成されている。
【００７２】
なお、表示データ記憶部３８は、使用者のスケジュールの種類と入力対応動作形態（具体的には、目的地設定メニュー画面に表示する操作メニュー項目の内容）を対応させるためのデータベースを記憶している。
【００７３】
つまり、ナビゲーション装置１は、使用者のスケジュールが勤務用スケジュールと判定（Ｓ１１０で肯定判定）した場合には、図４に示すデータベースのうち勤務用データを取得し（Ｓ１２０）、勤務用データのうち第１ページ用の６個の操作メニュー項目（５０音入力、住所、施設、電話番号、最寄り検索、メモリ地点）が配置される勤務用の目的地設定メニュー画面を、表示装置２６に表示する。
【００７４】
このあと、使用者が操作スイッチ群２０（詳細には、次ページ要求エリア４４）またはリモコンを用いてページ送り操作を要求すると、ナビ制御回路３０の表示制御部３３にて、勤務用データのうち第２ページ用の６個の操作メニュー項目（自宅に戻る、郵便番号、マップコード、おすすめスポット、（空白）、（空白））が配置される勤務用の目的地設定メニュー画面を、表示装置２６に表示するためのページ送り操作処理が実行される。
【００７５】
なお、勤務用に表示された操作メニュー項目のうち「最寄り検索」が選択されると、「ガソリンスタンド」「コンビニエンスストア」「駐車場」「銀行」「郵便局」など仕事上利用する頻度の高い項目が優先的に先頭側に配置される最寄り検索結果画面を表示する。また、勤務用に表示された操作メニュー項目のうち「メモリ地点」が選択されると、地点分類が「仕事」として登録されているメモリ地点が優先的に先頭側に配置されるメモリ地点一覧画面を表示する。
【００７６】
また、ナビゲーション装置１は、使用者のスケジュールが勤務用スケジュールではないと判定（Ｓ１１０で否定判定）した場合には、図４に示すデータベースのうちプライベート用データを取得し（Ｓ１４０）、プライベート用データのうち第１ページ用の６個の操作メニュー項目（５０音入力、おすすめスポット、自宅に帰る、電話番号、最寄り検索、メモリ地点）が配置されるプライベート用の目的地設定メニュー画面を、表示装置２６に表示する。
【００７７】
このあと、使用者が操作スイッチ群２０（詳細には、次ページ要求エリア４４）またはリモコンを用いてページ送り操作を要求すると、ナビ制御回路３０の表示制御部３３にて、プライベート用データのうち第２ページ用の６個の操作メニュー項目（施設、住所、郵便番号、マップコード、おすすめスポット、（空白））が配置されるプライベート用の目的地設定メニュー画面を、表示装置２６に表示するためのページ送り操作処理が実行される。
【００７８】
つまり、ナビゲーション装置１は、使用者からの表示要求時における使用者のスケジュールが勤務用スケジュールである場合には、勤務時間帯における使用頻度が高い操作メニュー項目（住所、施設）を含む目的地設定メニュー画面を表示し、使用者からの表示要求時における使用者のスケジュールが勤務用スケジュールではない場合には、プライベート時間帯における使用頻度が高い操作メニュー項目（おすすめスポット、自宅に帰る）を含む目的地設定メニュー画面を表示する。
【００７９】
なお、プライベート用に表示された操作メニュー項目のうち「最寄り検索」が選択されると、「ガソリンスタンド」「コンビニエンスストア」「駐車場」「レストラン」「デパート」などレジャーや行楽で利用する頻度の高い項目が優先的に先頭側に配置される最寄り検索結果画面を表示する。また、プライベート用に表示された操作メニュー項目のうち「メモリ地点」が選択されると、地点分類が「仕事」以外の項目に分類されて登録されているメモリ地点が先頭側に配置されるメモリ地点一覧画面を表示する。
【００８０】
次に、ナビゲーション装置１において、使用者のスケジュール状態を判定するために、装置の起動タイミングで実行されるスケジュール状態フラグ設定処理の処理内容について説明する。なお、スケジュール状態フラグ設定処理は、ナビ制御回路３０の現在位置算出部３１で実行される。そして、この設定処理により設定されたスケジュール状態フラグ（勤務状態フラグ）の状態は、図示しないフラグ状態記憶部（メモリなど）に記憶されるとともに、ナビ制御回路３０の各部から参照可能な状態で記憶される。
【００８１】
図５に、スケジュール状態フラグ設定処理の処理内容を表したフローチャートを示す。
処理が開始されると、まず、Ｓ２００では、少なくとも時刻、日付および曜日に関する情報を含む現在時刻情報をＧＰＳ受信機１２ａから取得する処理を行う。
【００８２】
次のＳ２１０では、現在時刻情報に基づき現在時刻、日付および曜日のいずれかを特定し、特定時点における使用者のスケジュールが勤務時間帯（勤務用スケジュール）であるか否かを判断し、肯定判定する場合には、Ｓ２２０に移行し、否定判定する場合には、Ｓ２３０に移行する。
【００８３】
なお、Ｓ２１０での判断態様としては、上述した目的地設定メニュー表示処理におけるＳ１１０と同様の判断態様を採ることができる。
Ｓ２１０で肯定判定されてＳ２２０に移行すると、Ｓ２２０では、勤務状態フラグをＯＮ状態（セット状態）に設定する処理を実行する。他方、Ｓ２１０で否定判定されてＳ２３０に移行すると、Ｓ２３０では、勤務状態フラグをＯＦＦ状態（リセット状態）に設定する処理を実行する。なお、勤務状態フラグの状態は、図示しないフラグ状態記憶部（メモリなど）に記憶される。
【００８４】
そして、Ｓ２２０またはＳ２３０の処理が完了すると、スケジュール状態フラグ設定処理が終了する。
つまり、スケジュール状態フラグ設定処理は、現在時刻情報に基づき使用者のスケジュール状態を判定し、その判定結果に応じて勤務状態フラグをＯＮ状態またはＯＦＦ状態に設定する。そして、勤務状態フラグは、ナビ制御回路３０の内部で別途実行される各処理において参照されることで、使用者のスケジュール状態の確認に用いられる。
【００８５】
次に、ナビゲーション装置１において、使用者に報知するための各種案内情報を含む音声メッセージを出力する場合に、ナビ制御回路３０の音声出力制御部３４で実行される音声出力制御処理の処理内容について説明する。
【００８６】
図６に、音声出力制御処理の処理内容を表したフローチャートを示す。
処理が開始されると、まず、Ｓ３００（Ｓはステップを表す。以下同様。）では、勤務状態フラグの状態をフラグ状態記憶部から取得する処理を行う。
【００８７】
次のＳ３１０では、勤務状態フラグに基づき使用者のスケジュールが勤務時間帯（勤務用スケジュール）であるか否かを判断し、肯定判定する場合には、Ｓ３２０に移行し、否定判定する場合には、Ｓ３４０に移行する。なお、Ｓ３１０では、勤務状態フラグがＯＮ状態である場合に肯定判定（使用者のスケジュールが勤務用スケジュールであると判定）し、勤務状態フラグがＯＦＦ状態である場合に否定判定（使用者のスケジュールが勤務用スケジュールではないと判定）する。
【００８８】
Ｓ３１０で肯定判定されると、Ｓ３２０では、勤務用音声メッセージを音声データ記憶部３９から取得する処理を実行する。続くＳ３３０では、Ｓ３２０で取得した勤務用音声メッセージについて、音のトーンが低くなるようにデータ変換を行い、音声メッセージの音のトーンを低音に設定する。
【００８９】
他方、Ｓ３１０で否定判定されると、Ｓ３４０では、プライベート用音声メッセージを音声データ記憶部３９から取得する処理を実行する。続くＳ３５０では、Ｓ３４０で取得したプライベート用音声メッセージについて、音のトーンが高くなるようにデータ変換を行い、音声メッセージの音のトーンを高音に設定する。
【００９０】
なお、音声データ記憶部３９は、使用者のスケジュールの種類と出力動作形態（具体的には、勤務用音声メッセージやプライベート用音声メッセージの内容）を対応させるためのデータベースを記憶している。
【００９１】
そして、Ｓ３３０またはＳ３５０の処理が完了すると、Ｓ３６０に移行し、Ｓ３６０では、Ｓ３２０，Ｓ３３０，Ｓ３４０，Ｓ３５０での処理により設定された音声メッセージをスピーカ２８から出力する処理を実行する。
【００９２】
Ｓ３６０の処理が完了すると、音声出力制御処理が終了する。
この音声出力制御処理が実行されることにより、使用者のスケジュールが勤務用スケジュールである場合には、スピーカ２８から出力される音声メッセージが、勤務用音声メッセージに設定されると共に音のトーンが低く設定される。また、使用者のスケジュールが勤務用スケジュールではない場合には、スピーカ２８から出力される音声メッセージが、プライベート用音声メッセージに設定されると共に、音のトーンが高く設定される。
【００９３】
なお、勤務用音声メッセージとプライベート用音声メッセージとは、意味内容は同一となる音声メッセージであるが、表現形式（語句）が異なるものである。例えば、敬語を用いた文章であるか否かによって区別することができ、敬語を用いた文章からなる音声メッセージは、勤務用音声メッセージとして使用でき、敬語を用いていない文章からなる音声メッセージは、プライベート用音声メッセージとして使用することができる。
【００９４】
勤務用音声メッセージは、敬語を用いるなど儀礼的な言葉で構成された音声メッセージであることから、使用者は勤務時間帯であることを認識でき、緊張感を持続させることができる。また、プライベート用音声メッセージは、儀礼的な言葉ではなく友好的な言葉で構成された音声メッセージであることから、使用者は勤務時間帯ではないことを認識でき、リラックスすることができる。
【００９５】
次に、ナビゲーション装置１において、表示装置２６に表示する画面意匠を設定するために、ナビ制御回路３０の表示制御部３３で実行される画面意匠設定処理の処理内容について説明する。
【００９６】
図７に、画面意匠設定処理の処理内容を表したフローチャートを示す。
処理が開始されると、まず、Ｓ７００（Ｓはステップを表す。以下同様。）では、少なくとも時刻、日付および曜日に関する情報を含む現在時刻情報を現在位置算出部３１から取得する処理を行う。
【００９７】
次のＳ７１０では、現在時刻情報に基づき現在時刻、日付および曜日のいずれかを特定し、特定時点における使用者のスケジュールが勤務時間帯（勤務用スケジュール）であるか否かを判断し、肯定判定する場合には、Ｓ７２０に移行し、否定判定する場合には、Ｓ７４０に移行する。
【００９８】
なお、Ｓ７１０での判断態様としては、目的地設定メニュー表示処理におけるＳ１１０と同様の判断態様を採ることができる。
Ｓ７１０で肯定判定されると、Ｓ７２０では、表示装置２６に表示するための勤務用の画面意匠に関する各種情報（表示枠の色、文字フォント、文字書体、文字色、画面背景模様（壁紙）の種類など）を含む勤務用画面意匠データを表示データ記憶部３８から取得する処理を実行する。続くＳ７３０では、表示装置２６に表示する画面の画面意匠を、Ｓ７２０で取得した勤務用画面意匠データに基づき勤務用画面意匠に設定し、表示装置２６における表示内容を更新する処理を実行する。
【００９９】
他方、Ｓ７１０で否定判定されると、Ｓ７４０では、表示装置２６に表示するためのプライベート用の画面意匠に関する各種情報を含むプライベート用画面意匠データを表示データ記憶部３８から取得する処理を実行する。続くＳ７５０では、表示装置２６に表示する画面の画面意匠を、Ｓ７４０で取得したプライベート用画面意匠データに基づきプライベート用画面意匠に設定し、表示装置２６における画面を表示内容を更新する処理を実行する。
【０１００】
そして、Ｓ７３０またはＳ７５０の処理が完了すると、画面意匠設定処理が終了する。このように画面意匠設定処理が実行されることにより、使用者のスケジュールに応じて表示装置２６の画面意匠が更新される。
【０１０１】
なお、勤務用画面意匠の一例としては、例えば、画面背景模様（壁紙）がオフィス街の風景などからなる勤務用壁紙に設定された画面意匠を挙げることができる。また、プライベート用画面意匠の一例としては、例えば、画面背景模様がリゾート地の風景などからなるプライベート用壁紙に設定された画面意匠を挙げることができる。
【０１０２】
以上説明したように、本実施形態のナビゲーション装置１は、ナビ制御回路３０で実行される各種制御処理において使用者のスケジュールを判定し、その判定結果に基づき、使用者のスケジュールに応じて、表示装置２６による入力対応動作形態や、スピーカ２８による出力動作形態を変更するように構成されている。
【０１０３】
つまり、表示装置２６および表示制御部３３は、各種のメニュー画面を表示して、使用者による目的地の入力操作に対応する入力対応動作などを行うものであるが、表示制御部３３は、表示装置２６にメニュー画面を表示するにあたり、使用者のスケジュールに応じて先頭ページに含まれるメニュー項目を変更する。このことから、ナビゲーション装置１は、スケジュール状況変化に伴い使用者の要求が変化する場合でも、その変化に応じたメニュー画面を表示することができる。
【０１０４】
また、スピーカ２８および音声出力制御部３４は、進行方向や案内経路などの各種情報を含む音声メッセージを出力する出力対応動作を行うものであるが、音声出力制御部３４は、出力動作を行うにあたり、使用者のスケジュールに応じて、音声メッセージの変更や音のトーンの変更などを行うことで出力動作形態を変更する。このことから、ナビゲーション装置１は、状況変化に伴い使用者が快適と感じる使用環境が変化した場合でも、その変化に応じた出力動作を実行できるため、使用者にとって快適な使用環境を提供することができ、装置の使用感の向上を図ることができる。
【０１０５】
そして、ナビゲーション装置１は、使用者のスケジュールを判定するにあたり、現在日時に基づき、使用者のスケジュールが勤務用スケジュールであるか否かを判定していることから、１日のうちで時間帯ごとに使用者のスケジュールが変化する場合であっても、使用者のスケジュールに応じた操作メニュー画面の表示動作や、使用者のスケジュールに応じた音声メッセージの出力動作が可能となる。また、１週間のうちで曜日ごとに使用者のスケジュールが変化する場合であっても、同様に、使用者のスケジュールに応じた操作メニュー画面の表示動作や、使用者のスケジュールに応じた音声メッセージの出力動作が可能となる。
【０１０６】
これにより、勤務用スケジュールであるか否かに応じて、使用者における入力操作の煩雑さを解消できることから、ナビゲーション装置の操作性を向上でき、また、使用者にとって快適な使用環境を提供できることから、ナビゲーション装置の使用感の向上を図ることができる。
【０１０７】
また、ナビゲーション装置１は、使用者のスケジュールに応じて、目的地設定メニュー画面の第１ページに配置される操作メニュー項目を変更しており、勤務用スケジュールである場合には勤務用の目的地設定メニュー画面を表示し、勤務用スケジュールではない場合にはプライベート用の目的地設定メニュー画面を表示する。これにより、状況変化に伴い使用者の要求が変化した場合でも、その変化に応じた操作メニュー項目を、少ない入力操作で表示でき、使用者における入力操作の煩雑さを解消することができる。
【０１０８】
なお、勤務用操作メニュー項目は、勤務時間帯での使用頻度の高い操作メニュー項目であり、図４に示すデータベース構成から判るように、例えば、住所検索メニュー（住所に基づき目的地を設定するメニュー）や施設検索メニュー（勤務用に用いられる施設を目的地として設定するメニュー）などが設定される。
【０１０９】
また、プライベート用操作メニュー項目は、プライベート時間帯での使用頻度の高い操作メニュー項目であり、図４に示すデータベース構成から判るように、例えば、おすすめスポット検索メニュー（レジャー向けおすすめスポットを検索するためのメニュー）や自宅設定メニュー（自宅を目的地に設定するためのメニュー）などが設定される。
【０１１０】
次に、ナビゲーション装置１は、使用者のスケジュールが勤務用スケジュールであるか否かを判断し、その判断結果に基づいて、画面意匠を勤務用画面意匠またはプライベート用画面意匠に設定するよう構成されている。つまり、使用者のスケジュールが勤務用スケジュールである場合には、表示制御部３３が画面意匠を勤務用画面意匠に設定し、使用者のスケジュールが勤務用スケジュールではないと判定される場合には、表示制御部３３が画面意匠をプライベート用画面意匠に設定する。
【０１１１】
これにより、表示装置２６に表示される画面意匠は、使用者のスケジュールに応じた画面意匠となり、ナビゲーション装置１のユーザインターフェース手段としての表示制御部３３および表示装置２６は、状況変化に伴い使用者にとって快適な使用環境が変化した場合でも、その変化に応じた出力動作を実行できる。これにより、ナビゲーション装置１は、使用者にとって快適な使用環境を提供することができ、使用者にとって装置の使用感の向上を図ることができる。
【０１１２】
次に、ナビゲーション装置１は、ユーザインターフェース手段として、少なくとも案内経路を通知するための音声メッセージを出力するスピーカ２８と、スピーカ２８からの音声出力形態を制御する音声出力制御部３４と、を備えている。そして、音声出力制御部３４は、音声出力制御処理におけるＳ３１０にて判定された使用者のスケジュールに応じて、音声出力形態を変更する。
【０１１３】
このため、ナビゲーション装置１は、状況変化に伴い使用者にとって快適な使用環境が変化した場合でも、その変化に応じた音声出力動作を実行できることから、使用者にとって快適な使用環境を提供することができ、装置の使用感の向上を図ることができる。
【０１１４】
そして、ナビゲーション装置１は、使用者のスケジュールが勤務用スケジュールであると判定される場合には、勤務用スケジュールではないと判定される場合に比べて、音のトーンが低い音声を出力するよう構成されている。
【０１１５】
これにより、勤務用スケジュールである場合には、出力音声の音のトーンを低くすることで落ち着いた雰囲気を演出でき、勤務日または勤務時間帯に適した雰囲気で経路案内を実施できる。また、勤務用スケジュールではない場合には、出力音声の音のトーンを高くすることで楽しい雰囲気を演出でき、休日または終業後時間帯に適した楽しい雰囲気で経路案内を実施できる。
【０１１６】
よって、ナビゲーション装置１は、使用者のスケジュール状況の変化に応じて出力音声によって形成される雰囲気を変更しつつ、経路案内を実行することができ、使用者の満足度を向上できる。
【０１１７】
また、ナビゲーション装置１は、使用者のスケジュールが勤務用スケジュールであるか否かを判定し、その判定結果に基づいて音声メッセージを変更するよう構成されている。つまり、音声出力制御処理におけるＳ３１０において使用者のスケジュールが勤務用スケジュールであると判定される場合には、勤務状況向けの文章で構成された勤務用音声メッセージを出力し、勤務用スケジュールではないと判定される場合には、プライベート状況向けの文章で構成されたプライベート用音声メッセージを出力する。
【０１１８】
これにより、ナビゲーション装置１は、使用者のスケジュール状況の変化に応じて出力音声によって形成される雰囲気を変更しつつ、経路案内を実行することができ、使用者の満足度を向上することができる。
【０１１９】
なお、本実施形態のナビゲーション装置１においては、目的地設定メニュー表示処理におけるＳ１１０、スケジュール状態フラグ設定処理におけるＳ２１０、音声出力制御処理におけるＳ３１０、画面意匠設定処理におけるＳ７１０が、特許請求の範囲に記載のスケジュール判定手段に相当する。
【０１２０】
また、表示制御部３３および音声出力制御部３４は、特許請求の範囲に記載の動作形態制御手段に相当しており、特に、表示制御部３３が表示制御手段に相当し、音声出力制御部３４が音声出力制御手段に相当している。
【０１２１】
さらに、表示データ記憶部３８および音声データ記憶部３９は、特許請求の範囲に記載の対応設定記憶手段に相当している。
以上、本発明の実施形態について説明したが、本発明は、上記実施形態に限定されることなく、種々の態様を採ることができる。
【０１２２】
例えば、本実施形態のナビゲーション装置においては、目的地設定メニュー表示処理（詳細には、Ｓ１１０）および画面意匠設定処理（詳細には、Ｓ１２０）は、処理実行時の現在時刻に基づいてスケジュールを判断しているが、装置の始動時（起動時）に設定されたスケジュール状態フラグ（勤務状態フラグ）の状態に基づいて使用者のスケジュールを判断するように構成しても良い。
【０１２３】
また、音声出力制御処理（詳細には、Ｓ３１０）は、装置の始動時（起動時）に設定されたスケジュール状態フラグ（勤務状態フラグ）の状態に基づいて使用者のスケジュールを判断しているが、処理実行時の現在時刻に基づいて使用者のスケジュールを判断するように構成しても良い。
【０１２４】
なお、始動時に設定されたスケジュール状態フラグ（勤務状態フラグ）の状態に基づいてスケジュールを判断することにより、装置の始動時から停止時までの装置稼働期間における使用者のスケジュール状態を同一状態として判定できる。このような判断形態は、装置稼働期間においてスケジュール状態が変化しない使用者が利用するナビゲーション装置に適用することで、装置における処理負荷の増大を抑制することが出来る。
【０１２５】
また、処理実行時の現在時刻に基づいてスケジュールを判断する判断形態は、装置稼働期間においてスケジュール状態が頻繁に変化する使用者が利用するナビゲーション装置に適用することで、スケジュール状態の変化に応じて、使用者にとって快適な使用環境を提供することができ、使用者にとって装置の使用感の向上を図ることができる。
【０１２６】
次に、上記実施形態においては、時刻情報に基づいて使用者のスケジュール状態を判定していたが、使用者の行動予定情報（スケジュール情報）を外部から取得して、取得した行動予定情報に基づき、使用者のスケジュール状態を判定してもよい。
【０１２７】
つまり、使用者の行動予定情報によれば、使用者のスケジュールを正確に判定できることから、その判定結果に基づき、勤務用スケジュールであるか否かに応じて、入力対応動作形態または出力動作形態を変更することで、使用者における入力操作の煩雑さを解消でき、また、使用者にとって快適な使用環境を提供できる。
【０１２８】
具体的には、上述した制御処理において、現在時刻情報を取得する処理を、外部から行動予定情報を取得する処理に置き換えることで、実現することが出来る。また、使用者のスケジュール情報の取得方法としては、例えば、行動予定情報が保存されている個人用の携帯情報端末（ＰＤＡ）などから取得する方法や、据え置き型のデータ保存装置などから無線通信回線を通じて行動予定情報を取得する方法などがある。なお、携帯情報端末としては、ＰＤＡ、電子手帳、ノートパソコンなどがあり、無線通信回線としては、携帯電話通信網を利用した回線などがある。
【０１２９】
次に、目的地設定メニュー画面における表示エリアの個数は、上述した実施形態のように６個に限られることはなく、表示装置の画面サイズや使用者の好みに応じて適切な個数に設定することができる。また、目的地設定メニュー画面における複数の表示エリアのうち運転席に近い表示エリアに、スケジュール状態の判定結果に基づき、選択される可能性が高いと判断されるメニュー項目を表示するようにしてもよい。
【０１３０】
このように、メニュー画面に表示されるメニュー項目の表示配列あるいは表示位置を変更することにより、運転席に着座している使用者にとって、メニュー項目の選択操作が容易となり、操作の煩雑さを軽減できる。
【０１３１】
次に、複数の操作メニュー項目が配置されたメニュー画面を複数ページにわたり表示する態様としては、上述したようなページ前進およびページ後進により表示する態様に限られることはなく、複数のメニュー画面を階層的な構造として表示する態様を採ることもできる。
【０１３２】
そして、階層的構造とする場合には、例えば、勤務用スケジュールと判定される場合には、勤務用操作メニュー項目を多く含むメニュー画面をプライベート用操作メニュー項目を多く含むメニュー画面よりも上位階層に表示し、反対に、勤務用スケジュールではないと判定される場合には、プライベート用操作メニュー項目を多く含むメニュー画面を勤務用操作メニュー項目を多く含むメニュー画面よりも上位階層に表示するとよい。
【０１３３】
これにより、複数のメニュー画面の中から必要な操作メニュー項目を探すために使用者が実行する操作作業を低減でき、使用者における入力操作の煩雑さを解消できることから、ナビゲーション装置の操作性の向上を図ることができる。
【図面の簡単な説明】
【０１３４】
【図１】車載用のナビゲーション装置の概略構成図である。
【図２】目的地設定メニュー表示処理の処理内容を表したフローチャートである。
【図３】目的地設定メニュー画面の表示レイアウトを表した説明図である。
【図４】表示データ記憶部に記憶されるデータのうち目的地設定メニュー画面に表示する操作メニュー項目のデータベース構造を表す説明図である。
【図５】スケジュール状態フラグ設定処理の処理内容を表すフローチャートである。
【図６】音声出力制御処理の処理内容を表したフローチャートである。
【図７】画面意匠設定処理の処理内容を表したフローチャートである。
【符号の説明】
【０１３５】
１…ナビゲーション装置、１２…位置検出器、２０…操作スイッチ群、２１…リモコンセンサ、２２…データ入力器、２６…表示装置、２８…スピーカ、３０…ナビ制御回路、３１…現在位置算出部、３２…目的地設定部、３３…表示制御部、３４…音声出力制御部、３５…経路設定部、３８…表示データ記憶部、３９…音声データ記憶部。
【図１】
2005221345.tif 000003
【図２】
2005221345.tif 000004
【図３】
2005221345.tif 000005
【図４】
2005221345.tif 000006
【図５】
2005221345.tif 000007
【図６】
2005221345.tif 000008
【図７】
2005221345.tif 000009